(57)【要約】      （修正有）【課題】火災時に発生する煙の移動を確実に阻止し、しかも見た目に体裁のよい防煙垂壁における垂れ壁の接続構造を提供する。【解決手段】一端に差込溝３、３´、他端に圧入溝６、６´を形成した長尺状の接続部材１、１´を用い、垂壁２をそれぞれ接続部材１、１´の差込溝３、３´に取り付けておき、これら垂壁２を取り付けた接続部材１、１´の圧入溝６、６´を向かい合わせ、可撓性を有する不燃シート４の両端を、それぞれ長尺のパイプ５、５´に巻き付けた状態でそれぞれ圧入溝６、６´に圧入して固定し、圧入された不燃シート４の表面部側を湾曲し、両接続部材１、１´を目的とする所定角度（α）に保持し、固定する。【選択図】図２
0003227037.tif 000002
【実用新案登録請求の範囲】
【請求項１】
防煙垂壁における垂壁パネル同士を、適宜な所定角度で接続する接続構造であって、
一対の長尺で既存の接続部材（１）（１´）を用い、これら両接続部材には、それぞれ一端に縦パネル枠（２ａ）を介して垂壁（２）を差し込み固定する差込溝（３）（３´）を設け、
他端に可撓性を有する不燃シート（４）を、長尺のパイプ（５）（５´）を介して圧入する圧入溝（６）（６´）を設け、
接続時には、接続部材（１）（１´）のそれぞれ差込溝（３）（３´）を向かい合わせ、
不燃シート（４）の両端を、それぞれ長尺のパイプ（５）（５´）に巻き付けた状態でそれぞれ差込溝（３）（３´）に圧入して固定し、
圧入された不燃シート（４）の表面部（４ａ）側を湾曲し、両接続部材（１）（１´）が目的とする所定角度（α）に保持し固定する
ことを特徴とする防煙垂壁における垂壁の接続構造。
【請求項２】
前記所定角度（α）が、９０度から１７９度の範囲内である
ことを特徴とする請求項１記載の防煙垂壁における垂壁の接続構造。
【考案の詳細な説明】
【技術分野】
【０００１】
この考案は、防煙垂壁における垂壁の構造に関するものであり、特に、防煙垂壁の屈折箇所の接続部で、火災発生時に天井面部に発生した煙の移動を確実に阻止し、接続部が見た目にも体裁がよく仕上げることのできる防煙垂壁における垂壁の接続構造である。
【背景技術】
【０００２】
従来、建築基準法により、所定以上の床面積を有する建築物には、天井より垂壁を設けて、火災の際、煙の移動を阻止する為の防煙垂壁を設けるように義務付けられている。
【０００３】
それに従って、種々の防煙垂壁が発案され大型の施設で使用されている。しかし、近年の防煙垂壁は、建築物内の部屋の構造や部屋のデザイン等により、設置開始部から終了部までが一列状の防煙垂壁で仕切る構造でなく、中途で直角や鈍角に曲折した状態で接続する構造の防煙垂壁が所望されている。
【０００４】
そこで上記のような曲折した角度で接続する防煙垂壁の接続部は、煙の移動を阻止する手段としては、新たな接合部材を製造して使用することが考えられるが、本願考案は本願出願人が過去に防煙垂壁の一部材として考案した「吊り下げボルト用化粧カバー」を利用して解決することを思いついた。
【０００５】
この部材を一部に用いた既存の防煙垂壁は、左右両端部に緩衝部材を係止して壁面及び柱面に当接して設け、地震・火災時等の災害時に衝撃を吸収して防煙垂壁の破損を防止する仕切防煙垂壁において、該仕切防煙垂壁の左右両端部に設け、且つ、断面形状をＨ型状、或いは、略Ｈ型形状に形成した吊り下げボルト用化粧カバーの外側開口部に、軟質板状の緩衝部材を、嵌着部材を介して嵌着して設けた衝撃吸収型仕切防煙垂壁である。例えば、特許文献１のように。
【先行技術文献】
【特許文献】
【０００６】
【特許文献１】実用新案登録第３１７５７３５号公報
【０００７】
この衝撃吸収型仕切防煙垂壁は、天井面付近の壁面間或いは柱面間に防煙仕切防煙垂壁を設置する際し、該防煙垂壁の左右両端部に緩衝部材を介して設置するものであり、これにより、地震発生時に緩衝部材で防煙垂壁の破損を防止し、火災発生時に煙の移動を防止しようとするものである。
【考案の概要】
【考案が解決しようとする課題】
【０００８】
そこでこの考案は、火災時に発生する煙の移動を確実に阻止し、しかも見た目に体裁のよい防煙垂壁における垂壁の接続構造を提供するものである。
【課題を解決するための手段】
【０００９】
この考案の防煙垂壁における垂壁の接合構造は、防煙垂壁における垂壁同士を、適宜な所定角度で接続する接続構造であって、一対の長尺で既存の接続部材を用い、これら両接続部材には、それぞれ一端に縦パネル枠を介して垂壁を差し込み固定する差込溝 を設け、他端に可撓性を有する不燃シートを、長尺のパイプを介して圧入する圧入溝を設け、接続時には、接続部材のそれぞれ差込溝を向かい合わせ、不燃シートの両端を、それぞれ長尺のパイプに巻き付けた状態でそれぞれ差込溝に圧入して固定し、圧入された不燃シートの表面部側を湾曲し、両接続部材が目的とする所定角度に保持し固定することを特徴とする。
【００１０】
前記所定角度が、９０度から１７９度の範囲内であることを特徴とする。
【考案の効果】
【００１１】
この考案によると、既存の一対の接続部材（１）（１´）を利用し、これら接続部材間に一枚の可撓性を有する不燃シート（４）をそれぞれパイプ（５）（５´）に巻き付け、その状態で圧入溝（６）（６´）に圧入して固定し、該不燃シート（４）の表面部（４ａ）側を適宜な所定角度に折り曲げて固定するため、不燃シート（４）は火災時に天井面に向かう煙は、天井面を伝って水平方向に移動しようとするが、不燃シートで確実に阻止することができる等の有益なる効果を奏する。
【００１２】
しかも、前記不燃シート（４）は、堅牢で不燃性・難燃性を有し、且つ、可撓性を有しており、特許文献１に示す従来例のような防煙垂壁の両端部に設け、軟質板を用い、円筒を潰した形状に形成した緩衝部材で、壁面或いは柱面に押圧して設けた構造とは異なり、一枚の不燃シート（４）用いて一対の接続部材（１）（１´）間、即ち、接続部を覆って固定しており、接続部が開く恐れはない。
【００１３】
前記パイプ（５）（５´）により両端を巻かれた不燃シート（４）は、圧入溝（６）（６´）からはみ出す部分は、不燃シート（４）の裏面側であり、多少、はみ出ていても処理は不要のため、作業が省略でき見た目にも美麗な接続ができる等の効果を奏する。
【図面の簡単な説明】
【００１４】
【図１】この考案の一実施例を示し、（Ａ）は、一部を切り欠いた状態の正面図であり、（Ｂ）は、一部を切り欠いた状態の平面図である。
【図２】この考案の一実施例を示し、図１（Ｂ）中のＸ部の拡大断面図である。
【図３】この考案の他の実施例を示し、（Ａ）は、一部を切り欠いた状態の正面図であり、（Ｂ）は、一部を切り欠いた状態の正面図である。
【図４】この発明の他の実施例を示し、図３（Ｂ）中のＸ´部の拡大断面図である。
【図５】従来例を示し、（Ａ）は、従来例の断面図であり、（Ｂ）は、従来例の一部を切り欠いた正面図である。
【図６】従来例の使用状態を示す断面図である。
【考案を実施するための形態】
【００１５】
以下、この考案の好適な実施の形態について説明するが、この考案においては以下の
記述に限定されるものではなく、この考案の要旨を逸脱しない範囲においては適宜変更
可能である。
【実施例】
【００１６】
以下、この考案の一実施例を図面に基づいて詳細に説明すると、防煙垂壁における垂壁パネル同士を適宜な所定角度で接続される接続構造であって、一対の長尺で既存の接続部材（１）（１´）を用い、これら両接続部材には、それぞれ一端に縦パネル枠（２ａ）を介して垂壁（２）を差し込み固定する差込溝 （３）（３´）を設け、他端に可撓性を有する不燃シート（４）を、長尺のパイプ（５）（５´）を介して圧入する圧入溝（６）（６´）を設け、接続時には、接続部材（１）（１´）のそれぞれ差込溝（３）（３´）を向かい合わせ、不燃シート（４）の両端を、それぞれ長尺のパイプ（５）（５´）に巻き付けた状態でそれぞれ差込溝（３）（３´）に圧入して固定し、圧入された不燃シート（４）の表面部側を湾曲し、両接続部材（１）（１´）が目的とする所定角度（α）に保持し固定することを特徴とする防煙垂壁における垂壁の接続構造である。
【００１７】
なお、前記接続部材（１）（１´）は公知の部材であり、本願出願人が代表者を務める法人が防煙垂壁の施工の際に使用していたアルミを素材とした部材であり、品名は、「ＭＴＳＡ」である。
【００１８】
また、前記接続部材（１）は、断面が略Ｈ型形状の長尺物であり、一端に差込溝（３）を設け、他端に圧入溝（６）を設けており、差込溝（３）には、垂壁（２）を、縦パネル枠（２ａ）を介して差し込み固定するか、あるいは、垂れ壁（２）をシリコン等の弾性材（８）を介して縦パネル枠（２ａ）に差し込んだ後、差込溝（３）に差し込み固定してもよい。なお、前記シリコン等の弾性材（８）は、横パネル枠（２ｂ）に垂壁（２）を差し込む際にも使用するものである。
【００１９】
さらに、前記垂壁（２）の素材はガラスまたは高透明不燃シートであり、当然火災時に備えて堅牢で不燃性、難燃性を有する素材を採用しているものである。  
【００２０】
前記接続部材（１）（１´）に設けた差込溝（３）（３´）及び圧入溝（６）（６´）の対向面には、それぞれ波型形状の凹凸部（７）を複数条形成している。
【００２１】
これにより差込溝（６）には両面テープを介して縦パネル枠（２ａ）を差し込む際には、両面テープの接着面積を凹凸部（７）により広く形成することにより、接着力を増す効果がある。
【００２２】
また、圧入溝（６）にとっては該凹凸部（７）の摩擦により縦パネル枠（２ａ）や、不燃シート（４）を介して圧入するパイプ（５）を圧入し易くするよう構成したものである。
【００２３】
さらに、垂壁（２）（２）同士が向き合う所定角度（α）は、実施例には、直角（９０度）の場合と鈍角（１３５度）の場合の二つのみを示したが、９０度から１７９度の範囲内であればいかなる角度でもよいものである。
【産業上の利用可能性】
【００２４】
この考案の防煙垂壁における垂壁の接続構造の技術を確立し、実施することにより産業上の利用可能性を有する。
【符号の説明】
【００２５】
１，１´  接続部材
２        垂壁
２ａ      縦パネル枠
２ｂ      横パネル枠
３，３´  差込溝
４        不燃シート
４ａ      表面部
５，５´  パイプ
６，６´  圧入溝
７        波型形状の凹凸部
８        弾性材
α        所定角度
【図１】
0003227037.tif 000003
【図２】
0003227037.tif 000004
【図３】
0003227037.tif 000005
【図４】
0003227037.tif 000006
【図５】
0003227037.tif 000007
【図６】
0003227037.tif 000008